(57)【要約】      （修正有）【課題】食品製造工場等のように異物混入対策を要する場所で使用する水作業用ズボンであって、特に、ウエストを調整するための部材について異物混入のおそれを防止できるズボンを提供する。【解決手段】ズボンの腰回り部１２には、着脱ユニット３０ａ、３０ｂが設けられ、着脱ユニット３０ａは、ループ部３１ａと、着脱部３２ａを有し、着脱部３２ａは、腰回り部１２の後右領域に固定された回動部３４ａと、回動部３４ａに設けられたフック部３６ａとを有している。同様に、着脱ユニット３０ｂは、ループ部３１ｂと、着脱部３２ｂを有し、着脱部３２ｂは、腰回り部１２の後左領域に固定された回動部３４ｂと、回動部３４ｂに設けられたフック部３６ｂとを有している。着脱ユニット３０ａ、３０ｂにより、ベルトを用いることなく、ウエスト調整を行なうことができる。【選択図】図３
0003227264.tif 000002
【実用新案登録請求の範囲】
【請求項１】
水作業用ズボンであって、
水作業用ズボンを着用した際に腰の周りに設けられる周状の腰回り部（１２）と、腰回り部から下方に形成された中間部で、水作業用ズボンを着用した際に下腹を覆う下腹覆い部（１４）と、水作業用ズボンを着用した際に尻を覆う尻覆い部（１６）とを有する中間部（１３）と、中間部から下方に形成された脚部で、水作業用ズボンを着用した際に右脚を覆う右脚部（２０）と、水作業用ズボンを着用した際に左脚を覆う左脚部（２２）と、を有し、
腰回り部の左右両側には着脱ユニット（３０ａ、３０ｂ）が設けられ、
腰回り部の右側に設けられた着脱ユニットである第１着脱ユニット（３０ａ）は、腰回り部の前側領域における左右方向の中心である前中心（１２Ｐ）から右側の領域である前右領域（１２Ａ−１）と、腰回り部の後側領域における左右方向の中心である後中心（１２Ｑ）から右側の領域である後右領域（１２Ｂ−１）からなる右側領域に設けられ、
第１着脱ユニットは、右側領域に設けられた右第１面ファスナー構成部（３１ａ）と、右側領域に設けられた第１着脱部で、第１回動部（３４ａ）と、第１回動部に設けられた右第２面ファスナー構成部（３６ａ）とを有する第１着脱部（３２ａ）を有し、
第１回動部は、繊維製の生地により形成され、第１回動部の１つの辺部に沿った領域が右側領域に固定されていて、第１回動部が、右側領域に対して回動可能に形成され、第１回動部の右側領域への固定位置（３４ａ−１）と右第１面ファスナー構成部とは、腰回り部の周方向に沿って設けられ、右第２面ファスナー構成部は、第１回動部の右第１面ファスナー構成部側の面に設けられ、
右第１面ファスナー構成部は、面ファスナーを構成するフックとループのうちの一方であり、右第２面ファスナー構成部は、面ファスナーを構成するフックとループのうちの他方であり、
右第２面ファスナー構成部の右第１面ファスナー構成部への接着位置を調整することにより腰回り部の周方向の寸法が調整され、
腰回り部の左側に設けられた着脱ユニットである第２着脱ユニット（３０ｂ）は、腰回り部の前側領域における前中心から左側の領域である前左領域（１２Ａ−２）と、腰回り部の後側領域における後中心から左側の領域である後左領域（１２Ｂ−２）からなる左側領域に設けられ、
第２着脱ユニットは、左側領域に設けられた左第１面ファスナー構成部（３１ｂ）と、左側領域に設けられた第２着脱部で、第２回動部（３４ａ）と、第２回動部に設けられた左第２面ファスナー構成部（３６ｂ）とを有する第２着脱部（３２ｂ）を有し、
第２回動部は、繊維製の生地により形成され、第２回動部の１つの辺部に沿った領域が左側領域に固定されていて、第２回動部が、左側領域に対して回動可能に形成され、第２回動部の左側領域への固定位置（３４ｂ−１）と左第１面ファスナー構成部とは、腰回り部の周方向に沿って設けられ、左第２面ファスナー構成部は、第２回動部の左第１面ファスナー構成部側の面に設けられ、
左第１面ファスナー構成部は、面ファスナーを構成するフックとループのうちの一方であり、左第２面ファスナー構成部は、面ファスナーを構成するフックとループのうちの他方であり、
左第２面ファスナー構成部の左第１面ファスナー構成部への接着位置を調整することにより腰回り部の周方向の寸法が調整されることを特徴とする水作業用ズボン。
【請求項２】
右第１面ファスナー構成部は、第１回動部の右側領域への固定位置よりも、右側領域における後中心から前中心までの経路における前中心側に設けられ、
左第１面ファスナー構成部は、第２回動部の左側領域への固定位置よりも、左側領域における後中心から前中心までの経路における前中心側に設けられていることを特徴とする請求項１に記載の水作業用ズボン。
【請求項３】
第１回動部が、右側領域に対して、腰回り部の周方向に対して略直角な方向の回動軸を中心に回動可能に形成され、第２回動部が、左側領域に対して、腰回り部の周方向に対して略直角な方向の回動軸を中心に回動可能に形成されていることを特徴とする請求項１又は２に記載の水作業用ズボン。
【請求項４】
右脚部の裾領域である右脚裾領域（２０−２−１）に第３着脱ユニット（４０ａ）が設けられるとともに、左脚部の裾領域である左脚裾領域（２２−２−１）に第４着脱ユニット（４０ｂ）が設けられ、
第３着脱ユニットは、右脚裾領域に設けられた右脚第１面ファスナー構成部（４１ａ）と、右脚裾領域に設けられた第３着脱部で、第３回動部（４４ａ）と、第３回動部に設けられた右脚第２面ファスナー構成部（４６ａ）とを有する第３着脱部（４２ａ）を有し、
第３回動部は、繊維製の生地により形成され、第３回動部の１つの辺部に沿った領域が右脚裾領域に固定されていて、第３回動部が、右脚裾領域に対して回動可能に形成され、第３回動部の右脚裾領域への固定位置（４４ａ−１）と右脚第１面ファスナー構成部とは、右脚裾領域の周方向に沿って設けられ、右脚第２面ファスナー構成部は、第３回動部の右脚第１面ファスナー構成部側の面に設けられ、
右脚第１面ファスナー構成部は、面ファスナーを構成するフックとループのうちの一方であり、右脚第２面ファスナー構成部は、面ファスナーを構成するフックとループのうちの他方であり、
右脚第２面ファスナー構成部の右脚第１面ファスナー構成部への接着位置を調整することにより右脚裾領域の周方向の寸法が調整され、
第４着脱ユニットは、左脚裾領域に設けられた左脚第１面ファスナー構成部（４１ｂ）と、左脚裾領域に設けられた第４着脱部で、第４回動部（４４ｂ）と、第４回動部に設けられた左脚第２面ファスナー構成部（４６ｂ）とを有する第４着脱部（４２ｂ）を有し、
第４回動部は、繊維製の生地により形成され、第４回動部の１つの辺部に沿った領域が左脚裾領域に固定されていて、第４回動部が、左脚裾領域に対して回動可能に形成され、第４回動部の左脚裾領域への固定位置（４４ｂ−１）と左脚第１面ファスナー構成部とは、左脚裾領域の周方向に沿って設けられ、左脚第２面ファスナー構成部は、第４回動部の左脚第１面ファスナー構成部側の面に設けられ、
左脚第１面ファスナー構成部は、面ファスナーを構成するフックとループのうちの一方であり、左脚第２面ファスナー構成部は、面ファスナーを構成するフックとループのうちの他方であり、
左脚第２面ファスナー構成部の左脚第１面ファスナー構成部への接着位置を調整することにより左脚裾領域の周方向の寸法が調整されることを特徴とする請求項１又は２又は３に記載の水作業用ズボン。
【請求項５】
請求項１又は２又は３又は４に記載の水作業用ズボンと、水作業用上着（６０）とを有する水作業用衣服であって、
水作業用上着は、前開き形状の胴部（７０）と、胴部から形成された右袖部（９０）及び左袖部（１１０）と、を有する上着本体（６１）と、上着本体から形成されたフード部（１３０）と、を有し、
胴部は、胴部の前側の右側を構成する前右部（７２ａ）と、胴部の前側の左側を構成する前左部（７２ｂ）と、前右部及び前左部から形成され、胴部の後側を構成する背面部（７２ｃ）を有し、前右部と前左部の間には、スライドファスナー（７３）が設けられ、
前右部の前左部側の端部領域には、スライドファスナーに沿って第１帯状着脱部（７６ａ）が設けられ、第１帯状着脱部は、縦長帯状の第５回動部（７８ａ）と、第５回動部に設けられた胴部第１面ファスナー構成部（８０ａ）とを有し、第５回動部は、繊維製の生地により形成され、第５回動部の長辺に沿った領域が前右部に固定されて、第５回動部が、前右部に対して回動可能に形成され、第５回動部をスライドファスナー側に回動させて第５回動部を閉じた状態では、第５回動部は、スライドファスナーに接し、
胴部第１面ファスナー構成部（８０ａ）は、第５回動部がスライドファスナーに接した状態における第５回動部の外側の面に設けられ、
前左部の前右部側の端部領域には、スライドファスナーに沿って第２帯状着脱部（７６ｂ）が設けられ、第２帯状着脱部は、縦長帯状の第６回動部（７８ｂ）と、第６回動部に設けられた胴部第２面ファスナー構成部（８０ｂ）とを有し、第６回動部は、繊維製の生地により形成され、第６回動部の長辺に沿った領域が前左部に固定されて、第６回動部が、前左部に対して回動可能に形成され、第５回動部が閉じていて、第６回動部を第５回動部側に回動させた状態では、第２帯状着脱部は、第１帯状着脱部に重なった状態となり、
胴部第２面ファスナー構成部（８０ｂ）は、第２帯状着脱部が第１帯状着脱部に重なった状態における第６回動部の内側の面に設けられ、
胴部第１面ファスナー構成部は、面ファスナーを構成するフックとループのうちの一方であり、胴部第２面ファスナー構成部は、面ファスナーを構成するフックとループのうちの他方であり、
第１帯状着脱部と第２帯状着脱部を重ねて、胴部第１面ファスナー構成部と胴部第２面ファスナー構成部とを接着することにより、第１帯状着脱部と第２帯状着脱部によりスライドファスナーがカバーされることを特徴とする水作業用衣服。
【請求項６】
右袖部の袖口である右袖口部（９２）に第５着脱ユニット（１００）が設けられるとともに、左袖部の袖口である左袖口部（１１２）に第６着脱ユニット（１２０）が設けられ、
第５着脱ユニットは、右袖口部に設けられた右袖第１面ファスナー構成部（１０１）と、右袖口部に設けられた第５着脱部で、第５回動部（１０４）と、第５回動部に設けられた右袖第２面ファスナー構成部（１０６）とを有する第５着脱部（１０２）を有し、
第５回動部は、繊維製の生地により形成され、第５回動部の１つの辺部に沿った領域が右袖口部に固定されていて、第５回動部が、右袖口部に対して回動可能に形成され、第５回動部の右袖口部への固定位置（１０４−１）と右袖第１面ファスナー構成部とは、右袖口部の周方向に沿って設けられ、右袖第２面ファスナー構成部は、第５回動部の右袖第１面ファスナー構成部側の面に設けられ、
右袖第１面ファスナー構成部は、面ファスナーを構成するフックとループのうちの一方であり、右袖第２面ファスナー構成部は、面ファスナーを構成するフックとループのうちの他方であり、
右袖第２面ファスナー構成部の右袖第１面ファスナー構成部への接着位置を調整することにより右袖部の袖口の周方向の寸法が調整され、
第６着脱ユニットは、左袖口部に設けられた左袖第１面ファスナー構成部（１２１）と、左袖口部に設けられた第６着脱部で、第６回動部（１２４）と、第６回動部に設けられた左袖第２面ファスナー構成部（１２６）とを有する第６着脱部（１２４）を有し、
第６回動部は、繊維製の生地により形成され、第６回動部の１つの辺部に沿った領域が左袖口部に固定されていて、第６回動部が、左袖口部に対して回動可能に形成され、第６回動部の左袖口部への固定位置（１２４−１）と左袖第１面ファスナー構成部とは、左袖口部の周方向に沿って設けられ、左袖第２面ファスナー構成部は、第６回動部の左袖第１面ファスナー構成部側の面に設けられ、
左袖第１面ファスナー構成部は、面ファスナーを構成するフックとループのうちの一方であり、左袖第２面ファスナー構成部は、面ファスナーを構成するフックとループのうちの他方であり、
左袖第２面ファスナー構成部の左袖第１面ファスナー構成部への接着位置を調整することにより左袖部の袖口の周方向の寸法が調整されることを特徴とする請求項５に記載の水作業用衣服。
【請求項７】
水作業用上着には、頭部に装着するためのフード部（１３０）が上着本体に固定して設けられ、フード部には、フード部を頭部に装着した際に顔を露出するための切欠部（１４１）が設けられ、切欠部の縁部に沿って、伸縮部材（１４２ａ、１４２ｂ）が設けられていることを特徴とする請求項５又は６に記載の水作業用衣服。
【考案の詳細な説明】
【技術分野】
【０００１】
本考案は、水作業用ズボンに関するものであり、さらには、水作業用ズボンと水作業用上着を有する水作業用衣服に関するものである。
【背景技術】
【０００２】
従来における水作業用ズボンとしては、特許文献１に記載の水作業用オーバーズボンのように、締付けベルトを有するものが一般的であり、特許文献１においては、図１、図２に示すように、ズボンに設けられたループに締付けベルト２を通すものや、図３、図４に示すように、ズボンにベルト挿通孔１３が設けられたものが開示されている。
【０００３】
なお、食品製造工場において、食品製造後に製造装置を洗浄する際に身につける防水服においては、異物混入に対する対策が必須である。
【先行技術文献】
【特許文献】
【０００４】
【特許文献１】特開平９−２９６３１０号公報
【考案の概要】
【考案が解決しようとする課題】
【０００５】
しかし、特許文献１の水作業用オーバーズボンにおいて、締付けベルトを通すためのループを設けた場合には、ループがズボンから脱落してしまうと、異物混入のおそれがある。
【０００６】
また、特許文献１の水作業用オーバーズボンは、ウエストを調整する部材としてベルトが用いられ、そのような構成の場合には、ズボンとベルトは別体であり、ベルトそれ自体が異物となってしまうおそれがある。
【０００７】
特に、食品製造工場においては、食品製造装置の洗浄のために高水圧洗浄機が用いられ、高圧の水流により、ズボンから部材が脱落したり、部材が破損したりして、食品への異物混入となる可能性がある。
【０００８】
そこで、本考案は、食品製造工場等のように異物混入対策を要する場所で使用する水作業用ズボンであって、異物混入のおそれを防止できるズボンで、特に、ウエストを調整するための部材について異物混入のおそれを防止できるものを提供することを目的とするものである。
【課題を解決するための手段】
【０００９】
本考案は上記問題点を解決するために創作されたものであって、第１には、水作業用ズボンであって、水作業用ズボンを着用した際に腰の周りに設けられる周状の腰回り部（１２）と、腰回り部から下方に形成された中間部で、水作業用ズボンを着用した際に下腹を覆う下腹覆い部（１４）と、水作業用ズボンを着用した際に尻を覆う尻覆い部（１６）とを有する中間部（１３）と、中間部から下方に形成された脚部で、水作業用ズボンを着用した際に右脚を覆う右脚部（２０）と、水作業用ズボンを着用した際に左脚を覆う左脚部（２２）と、を有し、腰回り部の左右両側には着脱ユニット（３０ａ、３０ｂ）が設けられ、腰回り部の右側に設けられた着脱ユニットである第１着脱ユニット（３０ａ）は、腰回り部の前側領域における左右方向の中心である前中心（１２Ｐ）から右側の領域である前右領域（１２Ａ−１）と、腰回り部の後側領域における左右方向の中心である後中心（１２Ｑ）から右側の領域である後右領域（１２Ｂ−１）からなる右側領域に設けられ、第１着脱ユニットは、右側領域に設けられた右第１面ファスナー構成部（３１ａ）と、右側領域に設けられた第１着脱部で、第１回動部（３４ａ）と、第１回動部に設けられた右第２面ファスナー構成部（３６ａ）とを有する第１着脱部（３２ａ）を有し、第１回動部は、繊維製の生地により形成され、第１回動部の１つの辺部に沿った領域が右側領域に固定されていて、第１回動部が、右側領域に対して回動可能に形成され、第１回動部の右側領域への固定位置（３４ａ−１）と右第１面ファスナー構成部とは、腰回り部の周方向に沿って設けられ、右第２面ファスナー構成部は、第１回動部の右第１面ファスナー構成部側の面に設けられ、右第１面ファスナー構成部は、面ファスナーを構成するフックとループのうちの一方であり、右第２面ファスナー構成部は、面ファスナーを構成するフックとループのうちの他方であり、右第２面ファスナー構成部の右第１面ファスナー構成部への接着位置を調整することにより腰回り部の周方向の寸法が調整され、腰回り部の左側に設けられた着脱ユニットである第２着脱ユニット（３０ｂ）は、腰回り部の前側領域における前中心から左側の領域である前左領域（１２Ａ−２）と、腰回り部の後側領域における後中心から左側の領域である後左領域（１２Ｂ−２）からなる左側領域に設けられ、第２着脱ユニットは、左側領域に設けられた左第１面ファスナー構成部（３１ｂ）と、左側領域に設けられた第２着脱部で、第２回動部（３４ａ）と、第２回動部に設けられた左第２面ファスナー構成部（３６ｂ）とを有する第２着脱部（３２ｂ）を有し、第２回動部は、繊維製の生地により形成され、第２回動部の１つの辺部に沿った領域が左側領域に固定されていて、第２回動部が、左側領域に対して回動可能に形成され、第２回動部の左側領域への固定位置（３４ｂ−１）と左第１面ファスナー構成部とは、腰回り部の周方向に沿って設けられ、左第２面ファスナー構成部は、第２回動部の左第１面ファスナー構成部側の面に設けられ、左第１面ファスナー構成部は、面ファスナーを構成するフックとループのうちの一方であり、左第２面ファスナー構成部は、面ファスナーを構成するフックとループのうちの他方であり、左第２面ファスナー構成部の左第１面ファスナー構成部への接着位置を調整することにより腰回り部の周方向の寸法が調整されることを特徴とする。
【００１０】
第１の構成の水作業用ズボンにおいては、第１着脱ユニット及び第２着脱ユニットにより腰回り部の周囲に沿った寸法を調整することができ、ベルトを用いることなく、ウエスト調整を行なうことができるので、ベルトを通すためのループやベルト自体が異物混入の原因となるのを防止することができる。
【００１１】
また、第２には、上記第１の構成において、右第１面ファスナー構成部は、第１回動部の右側領域への固定位置よりも、右側領域における後中心から前中心までの経路における前中心側に設けられ、左第１面ファスナー構成部は、第２回動部の左側領域への固定位置よりも、左側領域における後中心から前中心までの経路における前中心側に設けられていることを特徴とする。
【００１２】
よって、第１着脱部を引っ張って、右第２面ファスナー構成部を右第１面ファスナー構成部に接着させる操作を容易に行なうことができ、また、第２着脱部を引っ張って、左第２面ファスナー構成部を左第１面ファスナー構成部に接着させる操作を容易に行なうことができる。
【００１３】
また、第３には、上記第１又は第２の構成において、第１回動部が、右側領域に対して、腰回り部の周方向に対して略直角な方向の回動軸を中心に回動可能に形成され、第２回動部が、左側領域に対して、腰回り部の周方向に対して略直角な方向の回動軸を中心に回動可能に形成されていることを特徴とする。
【００１４】
また、第４には、上記第１から第３までのいずれかの構成において、右脚部の裾領域である右脚裾領域（２０−２−１）に第３着脱ユニット（４０ａ）が設けられるとともに、左脚部の裾領域である左脚裾領域（２２−２−１）に第４着脱ユニット（４０ｂ）が設けられ、第３着脱ユニットは、右脚裾領域に設けられた右脚第１面ファスナー構成部（４１ａ）と、右脚裾領域に設けられた第３着脱部で、第３回動部（４４ａ）と、第３回動部に設けられた右脚第２面ファスナー構成部（４６ａ）とを有する第３着脱部（４２ａ）を有し、第３回動部は、繊維製の生地により形成され、第３回動部の１つの辺部に沿った領域が右脚裾領域に固定されていて、第３回動部が、右脚裾領域に対して回動可能に形成され、第３回動部の右脚裾領域への固定位置（４４ａ−１）と右脚第１面ファスナー構成部とは、右脚裾領域の周方向に沿って設けられ、右脚第２面ファスナー構成部は、第３回動部の右脚第１面ファスナー構成部側の面に設けられ、右脚第１面ファスナー構成部は、面ファスナーを構成するフックとループのうちの一方であり、右脚第２面ファスナー構成部は、面ファスナーを構成するフックとループのうちの他方であり、右脚第２面ファスナー構成部の右脚第１面ファスナー構成部への接着位置を調整することにより右脚裾領域の周方向の寸法が調整され、第４着脱ユニットは、左脚裾領域に設けられた左脚第１面ファスナー構成部（４１ｂ）と、左脚裾領域に設けられた第４着脱部で、第４回動部（４４ｂ）と、第４回動部に設けられた左脚第２面ファスナー構成部（４６ｂ）とを有する第４着脱部（４２ｂ）を有し、第４回動部は、繊維製の生地により形成され、第４回動部の１つの辺部に沿った領域が左脚裾領域に固定されていて、第４回動部が、左脚裾領域に対して回動可能に形成され、第４回動部の左脚裾領域への固定位置（４４ｂ−１）と左脚第１面ファスナー構成部とは、左脚裾領域の周方向に沿って設けられ、左脚第２面ファスナー構成部は、第４回動部の左脚第１面ファスナー構成部側の面に設けられ、左脚第１面ファスナー構成部は、面ファスナーを構成するフックとループのうちの一方であり、左脚第２面ファスナー構成部は、面ファスナーを構成するフックとループのうちの他方であり、左脚第２面ファスナー構成部の左脚第１面ファスナー構成部への接着位置を調整することにより左脚裾領域の周方向の寸法が調整されることを特徴とする。
【００１５】
よって、第３着脱ユニット及び第４着脱ユニットを用いることにより、ボタンを用いる必要がなく、ボタンが外れることにより異物混入の原因になるのを防止することができる。
【００１６】
また、第５には、上記第１から第４までのいずれかの構成の水作業用ズボンと、水作業用上着（６０）とを有する水作業用衣服であって、水作業用上着は、前開き形状の胴部（７０）と、胴部から形成された右袖部（９０）及び左袖部（１１０）と、を有する上着本体（６１）と、上着本体から形成されたフード部（１３０）と、を有し、胴部は、胴部の前側の右側を構成する前右部（７２ａ）と、胴部の前側の左側を構成する前左部（７２ｂ）と、前右部及び前左部から形成され、胴部の後側を構成する背面部（７２ｃ）を有し、前右部と前左部の間には、スライドファスナー（７３）が設けられ、前右部の前左部側の端部領域には、スライドファスナーに沿って第１帯状着脱部（７６ａ）が設けられ、第１帯状着脱部は、縦長帯状の第５回動部（７８ａ）と、第５回動部に設けられた胴部第１面ファスナー構成部（８０ａ）とを有し、第５回動部は、繊維製の生地により形成され、第５回動部の長辺に沿った領域が前右部に固定されて、第５回動部が、前右部に対して回動可能に形成され、第５回動部をスライドファスナー側に回動させて第５回動部を閉じた状態では、第５回動部は、スライドファスナーに接し、胴部第１面ファスナー構成部（８０ａ）は、第５回動部がスライドファスナーに接した状態における第５回動部の外側の面に設けられ、前左部の前右部側の端部領域には、スライドファスナーに沿って第２帯状着脱部（７６ｂ）が設けられ、第２帯状着脱部は、縦長帯状の第６回動部（７８ｂ）と、第６回動部に設けられた胴部第２面ファスナー構成部（８０ｂ）とを有し、第６回動部は、繊維製の生地により形成され、第６回動部の長辺に沿った領域が前左部に固定されて、第６回動部が、前左部に対して回動可能に形成され、第５回動部が閉じていて、第６回動部を第５回動部側に回動させた状態では、第２帯状着脱部は、第１帯状着脱部に重なった状態となり、胴部第２面ファスナー構成部（８０ｂ）は、第２帯状着脱部が第１帯状着脱部に重なった状態における第６回動部の内側の面に設けられ、胴部第１面ファスナー構成部は、面ファスナーを構成するフックとループのうちの一方であり、胴部第２面ファスナー構成部は、面ファスナーを構成するフックとループのうちの他方であり、第１帯状着脱部と第２帯状着脱部を重ねて、胴部第１面ファスナー構成部と胴部第２面ファスナー構成部とを接着することにより、第１帯状着脱部と第２帯状着脱部によりスライドファスナーがカバーされることを特徴とする。
【００１７】
よって、第１帯状着脱部が閉じた状態で第２帯状着脱部を閉じることにより、胴部第２面ファスナー構成部が胴部第１面ファスナー構成部に接着し、第１帯状着脱部及び第２帯状着脱部によりスライドファスナーがカバーされた状態が維持され、水作業において、水がスライドファスナーにまで進入するのを防止することができる。
【００１８】
なお、上記第５の構成において、第３回動部が、右脚裾領域に対して、右脚裾領域の周方向に対して略直角な方向の回動軸を中心に回動可能に形成され、第４回動部が、左脚裾領域に対して、左脚裾領域の周方向に対して略直角な方向の回動軸を中心に回動可能に形成されているものとしてもよい。
【００１９】
また、第６には、上記第５の構成において、右袖部の袖口である右袖口部（９２）に第５着脱ユニット（１００）が設けられるとともに、左袖部の袖口である左袖口部（１１２）に第６着脱ユニット（１２０）が設けられ、第５着脱ユニットは、右袖口部に設けられた右袖第１面ファスナー構成部（１０１）と、右袖口部に設けられた第５着脱部で、第５回動部（１０４）と、第５回動部に設けられた右袖第２面ファスナー構成部（１０６）とを有する第５着脱部（１０２）を有し、第５回動部は、繊維製の生地により形成され、第５回動部の１つの辺部に沿った領域が右袖口部に固定されていて、第５回動部が、右袖口部に対して回動可能に形成され、第５回動部の右袖口部への固定位置（１０４−１）と右袖第１面ファスナー構成部とは、右袖口部の周方向に沿って設けられ、右袖第２面ファスナー構成部は、第５回動部の右袖第１面ファスナー構成部側の面に設けられ、右袖第１面ファスナー構成部は、面ファスナーを構成するフックとループのうちの一方であり、右袖第２面ファスナー構成部は、面ファスナーを構成するフックとループのうちの他方であり、右袖第２面ファスナー構成部の右袖第１面ファスナー構成部への接着位置を調整することにより右袖部の袖口の周方向の寸法が調整され、第６着脱ユニットは、左袖口部に設けられた左袖第１面ファスナー構成部（１２１）と、左袖口部に設けられた第６着脱部で、第６回動部（１２４）と、第６回動部に設けられた左袖第２面ファスナー構成部（１２６）とを有する第６着脱部（１２４）を有し、第６回動部は、繊維製の生地により形成され、第６回動部の１つの辺部に沿った領域が左袖口部に固定されていて、第６回動部が、左袖口部に対して回動可能に形成され、第６回動部の左袖口部への固定位置（１２４−１）と左袖第１面ファスナー構成部とは、左袖口部の周方向に沿って設けられ、左袖第２面ファスナー構成部は、第６回動部の左袖第１面ファスナー構成部側の面に設けられ、左袖第１面ファスナー構成部は、面ファスナーを構成するフックとループのうちの一方であり、左袖第２面ファスナー構成部は、面ファスナーを構成するフックとループのうちの他方であり、左袖第２面ファスナー構成部の左袖第１面ファスナー構成部への接着位置を調整することにより左袖部の袖口の周方向の寸法が調整されることを特徴とする。
【００２０】
よって、第５着脱ユニット及び第６着脱ユニットを用いることにより、ボタンを用いる必要がなく、ボタンが外れることにより異物混入の原因になるのを防止することができる。
【００２１】
なお、上記第６の構成において、第５回動部が、右袖口部に対して、右袖口部の周方向に対して略直角な方向の回動軸を中心に回動可能に形成され、第６回動部が、左袖口部に対して、左袖口部の周方向に対して略直角な方向の回動軸を中心に回動可能に形成されているものとしてもよい。
【００２２】
また、第７には、上記第５または第６の構成において、水作業用上着には、頭部に装着するためのフード部（１３０）が上着本体に固定して設けられ、フード部には、フード部を頭部に装着した際に顔を露出するための切欠部（１４１）が設けられ、切欠部の縁部に沿って、伸縮部材（１４２ａ、１４２ｂ）が設けられていることを特徴とする。
【００２３】
よって、フードが着脱式とはなっておらず、フードが上着から外れることにより異物混入の原因になるのを防止することができ、また、フードの開き具体を調整するための紐が必要なく、紐が異物混入の原因になるのを防止することができる。
【考案の効果】
【００２４】
本考案に基づくズボン及び水作業用衣服によれば、第１着脱ユニット及び第２着脱ユニットにより腰回り部の周囲に沿った寸法を調整することができ、ベルトを用いることなく、ウエスト調整を行なうことができるので、ベルトを通すためのループやベルト自体が異物混入の原因となるのを防止することができる。
【図面の簡単な説明】
【００２５】
【図１】ズボンの正面図である。
【図２】ズボンの背面図である。
【図３】腰回り部の着脱部を開いた状態の正面図である。
【図４】腰回り部の着脱部を開いた状態の背面図である。
【図５】上着の正面図である。
【図６】前左部の帯状着脱部を開いた状態の正面図である。
【図７】前左部の帯状着脱部と前右部の帯状着脱部を開いた状態の正面図である。
【図８】上着の背面図である。
【考案を実施するための形態】
【００２６】
本考案においては、食品製造工場等のように異物混入対策を要する場所で使用する水作業用ズボンであって、異物混入のおそれを防止できるズボンで、特に、ウエストを調整するための部材について異物混入のおそれを防止できるものを提供するという目的を以下のようにして実現した。
【００２７】
本考案に基づく水作業用衣服は、ズボン１０と上着６０を有している。ズボン（水作業用ズボン）１０は、水作業用のズボンであり、図１〜図４に示すように構成されていて、腰回り部１２と、腰回り部１２の下端から下方に連設された中間部１３と、中間部１３の下端から下方に連設された脚部１８とを有している。中間部１３は、前側の下腹覆い部１４と、後側の尻覆い部１６と、着脱ユニット３０ａ、３０ｂ、４０ａ、４０ｂとを有している。つまり、下腹覆い部１４は、腰回り部１２における前側の下端から連設され、尻覆い部１６は、腰回り部１２における後側の下端から連設されている。また、脚部１８は、右脚部２０と、左脚部２２とを有し、右脚部２０は、中間部１３の右側部分から下方に連設されていて、右脚部２０は、中間部１３から下方に連設された腿回り部２０−１と、腿回り部２０−１の下端から下方に連設された脛回り部２０−２とを有している。同様に、左脚部２２は、中間部１３から下方に連設された腿回り部２２−１と、腿回り部２２−１の下端から下方に連設された脛回り部２２−２とを有している。
【００２８】
さらに、ズボン１０には、腰回り部１２に着脱ユニット３０ａ、３０ｂが設けられ、また、脛回り部２２−１、２２−２の下端領域に着脱ユニット４０ａ、４０ｂが設けられている。
【００２９】
ズボン１０における腰回り部１２と、中間部１３と、脚部１８は、ナイロン生地により形成され、ナイロン生地の内側には、メッシュ生地が設けられている。該ナイロン生地は、ズボン１０の前側の右側（腰回り部１２の前側の右側と、下腹覆い部１４の右側と、右脚部２０の前側）を構成する生地と、ズボン１０の前側の左側（腰回り部１２の前側の左側と、下腹覆い部１４の左側と、左脚部２２の前側）を構成する生地と、ズボン１０の後側の右側（腰回り部１２の後側の右側と、尻覆い部１６の右側と、右脚部２０の後側）を構成する生地と、ズボン１０の後側の左側（腰回り部１２の後側の左側と、尻覆い部１６の左側と、左脚部２２の後側）を構成する生地とを縫製することにより構成されている。
【００３０】
ここで、腰回り部１２は、筒状を呈し、その上端領域の内部には、伸縮部材１２ａが周状に設けられていて、腰回り部１２の上端領域が伸縮自在となっている。
【００３１】
また、腰回り部１２における上端領域よりも下側には、左右両側に着脱ユニット３０ａと着脱ユニット３０ｂが設けられ、腰回り部１２の周囲に沿った寸法を調整できるようになっている。
【００３２】
つまり、着脱ユニット（第１着脱ユニット）３０ａは、腰回り部１２の右側に設けられている。つまり、腰回り部１２は、前側領域１２Ａと後側領域１２Ｂとを有し、前側領域１２Ａは、前側領域１２Ａにおける左右方向の中心（前中心）１２Ｐよりも右側の領域である前右領域１２Ａ−１と、中心１２Ｐよりも左側の領域である前左領域１２Ａ−２を有し、後側領域１２Ｂは、後側領域１２Ｂにおける左右方向の中心（後中心）１２Ｑよりも右側の領域である後右領域１２Ｂ−１と、中心１２Ｑよりも左側の領域である後左領域１２Ｂ−２を有している。そして、前右領域１２Ａ−１と後右領域１２Ｂ−１とで、右側領域が構成され、前左領域１２Ａ−２と後左領域１２Ｂ−２とで、左側領域が構成される。
【００３３】
着脱ユニット３０ａは、腰回り部１２の前右領域１２Ａ−１に取り付けられたループ部（右第１面ファスナー構成部）３１ａと、腰回り部１２の後右領域１２Ｂ−１に設けられた着脱部３２ａとを有し、ループ部３１ａは、横長の略長方形状を呈し、面ファスナーにおけるループ片により形成され、ループ部３１ａの周囲に沿って縫製することにより前右領域１２Ａ−１に固定されている。
【００３４】
また、着脱部（第１着脱部）３２ａは、腰回り部１２の後右領域１２Ｂ−１に固定された回動部（第１回動部）３４ａと、回動部３４ａにおけるループ部３１ａ側の面に設けられたフック部（右第２面ファスナー構成部）３６ａとを有している。回動部３４ａは、略長方形状の繊維製の生地（具体的には、ナイロン生地）により形成され、一方の短辺側の端部領域（つまり、回動部３４ａの１つの辺部に沿った領域）が、腰回り部１２に縫製により固定位置３４ａ−１に固定されていて、これにより、回動部３４ａは、固定位置３４ａ−１を中心に回動するようになっている。つまり、回動部３４ａは、右側領域に対して、腰回り部１２の周方向に対して略直角な方向の回動軸（つまり、固定位置３４ａ−１）を中心に回動する。なお、固定位置３４ａ−１とループ部３１ａ間には、間隔が設けられている。回動部３４ａに取り付けられたフック部３６ａは、面ファスナーにおけるフック片により形成され、フック部３６ａの周囲に沿って縫製することにより回動部３４ａに固定されている。固定位置３４ａ−１とループ部３１ａは、腰回り部１２の周方向（具体的には、略水平の周方向）に沿って設けられ、固定位置３４ａ−１と回動部３４ａは、腰回り部１２における周方向（具体的には、略水平の周方向）に沿った位置に間隔を介して設けられている。これにより、ズボン１０を履いた状態で、フック部３６ａがループ部３１ａに接着される位置を調整することにより、腰回り部１２の右側における周方向の長さを調整することができる。なお、回動部３４ａは固定位置３４ａ−１の位置で固定されているとしたが、固定位置３４ａ−１よりも基端側の領域全体が固定位置となって右側領域に固定された構成としてもよい。この場合でも、固定位置３４ａ−１が回動軸となる。
【００３５】
また、固定位置３４ａ−１は後右領域１２Ｂ−１に設けられるとともに、ループ部３１ａは前右領域１２Ａ−１に設けられていて、ループ部３１ａは、回動部３４ａの固定位置３４ａ−１よりも、右側領域における中心１２Ｑから中心１２Ｐまでの経路における中心１２Ｐ側に設けられているので、着脱部３２ａを前側に引っ張って、フック部３６ａをループ部３１ａに接着させることができるので、接着操作を容易に行なうことができる。
【００３６】
同様に、着脱ユニット３０ｂは、腰回り部１２の左側に設けられ、着脱ユニット３０ｂは、腰回り部１２の前左領域１２Ａ−２に取り付けられたループ部（左第１面ファスナー構成部）３１ｂと、腰回り部１２の後左領域１２Ｂ−２に設けられた着脱部３２ｂとを有し、ループ部３１ｂは、横長の略長方形状を呈し、面ファスナーにおけるループ片により形成され、ループ部３１ｂの周囲に沿って縫製することにより前左領域１２Ａ−２に固定されている。
【００３７】
また、着脱部（第２着脱部）３２ｂは、腰回り部１２の後左領域１２Ｂ−２に固定された回動部（第２回動部）３４ｂと、回動部３４ｂにおけるループ部３１ｂ側の面に設けられたフック部（左第２面ファスナー構成部）３６ｂとを有している。回動部３４ｂは、略長方形状の繊維製の生地（具体的には、ナイロン生地）により形成され、一方の短辺側の端部領域（つまり、回動部３４ｂの１つの辺部に沿った領域）が、腰回り部１２に縫製により固定位置３４ｂ−１に固定されていて、これにより、回動部３４ｂは、固定位置３４ｂ−１を中心に回動するようになっている。つまり、回動部３４ｂは、左側領域に対して、腰回り部１２の周方向に対して略直角な方向の回動軸（つまり、固定位置３４ｂ−１）を中心に回動する。なお、固定位置３４ｂ−１とループ部３１ｂ間には、間隔が設けられている。回動部３４ｂに取り付けられたフック部３６ｂは、面ファスナーにおけるフック片により形成され、フック部３６ｂの周囲に沿って縫製することにより回動部３４ｂに固定されている。固定位置３４ｂ−１とループ部３１ｂは、腰回り部１２の周方向（具体的には、略水平の周方向）に沿って設けられ、固定位置３４ｂ−１と回動部３４ｂは、腰回り部１２における周方向（具体的には、略水平の周方向）に沿った位置に間隔を介して設けられている。これにより、ズボン１０を履いた状態で、フック部３６ｂがループ部３１ｂに接着される位置を調整することにより、腰回り部１２の左側における周方向の長さを調整することができる。なお、回動部３４ｂは固定位置３４ｂ−１の位置で固定されているとしたが、固定位置３４ｂ−１よりも基端側の領域全体が固定位置となって左側領域に固定された構成としてもよい。この場合でも、固定位置３４ｂ−１が回動軸となる。
【００３８】
また、固定位置３４ｂ−１は後左領域１２Ｂ−２に設けられるとともに、ループ部３１ｂは前左領域１２Ａ−２に設けられていて、ループ部３１ｂは、回動部３４ｂの固定位置３４ｂ−１よりも、左側領域における中心１２Ｑから中心１２Ｐまでの経路における中心１２Ｐ側に設けられているので、着脱部３２ｂを前側に引っ張って、フック部３６ｂをループ部３１ｂに接着させることができるので、接着操作を容易に行なうことができる。
【００３９】
以上のように、着脱ユニット３０ａ、３０ｂにより腰回り部１２の周囲に沿った寸法を調整することができ、ベルトを用いることなく、ウエスト調整を行なうことができるので、ベルトを通すためのループやベルト自体が異物混入の原因となるのを防止することができる。
【００４０】
なお、ループ部３１ａは、回動部３４ａの固定位置３４ａ−１よりも、右側領域における中心１２Ｑから中心１２Ｐまでの経路における中心１２Ｐ側に設けられているとしたが、ループ部３１ａが、回動部３４ａの固定位置３４ａ−１よりも、右側領域における中心１２Ｐから中心１２Ｑまでの経路における中心１２Ｑ側に設けられた構成としてもよく、また、ループ部３１ｂは、回動部３４ｂの固定位置３４ｂ−１よりも、左側領域における中心１２Ｑから中心１２Ｐまでの経路における中心１２Ｐ側に設けられているとしたが、ループ部３１ｂが、回動部３４ｂの固定位置３４ｂ−１よりも、左側領域における中心１２Ｐから中心１２Ｑまでの経路における中心１２Ｑ側に設けられた構成としてもよい。
【００４１】
例えば、ループ部３１ａが、後右領域１２Ｂ−１に設けられ、回動部３４ａの固定位置３４ａ−１が前右部１２Ａ−１に設けられた構成とし、ループ部３１ｂが、後左領域１２Ｂ−２に設けられ、回動部３４ｂの固定位置３４ｂ−１が前左部１２Ａ−２に設けられた構成としてもよい。ただし、図１〜図４に示すように、ループ部３１ａは、回動部３４ａの固定位置３４ａ−１よりも、右側領域における中心１２Ｑから中心１２Ｐまでの経路における中心１２Ｐ側に設けられ、ループ部３１ａが、回動部３４ａの固定位置３４ａ−１よりも、右側領域における中心１２Ｐから中心１２Ｑまでの経路における中心１２Ｑ側に設けられた構成とした方が、着脱部３２ａ、３２ｂを前側に引っ張って、ループ部３１ａ、３１ｂと接着させることができるので、接着操作が容易である。
【００４２】
次に、脚部１８の下端である裾領域２０−２−１、２２−２−１、すなわち、脛回り部２０−１、２２−２の下端領域においては、着脱ユニット４０ａ、４０ｂが設けられていて、脚部１８の右脚部２０と左脚部２２の裾回りの周方向の長さを調整することができるようになっている。
【００４３】
すなわち、着脱ユニット（第３着脱ユニット）４０ａは、右脚部２０の裾領域（右脚裾領域）２０−２−１に設けられ、着脱ユニット４０ａは、裾領域２０−２−１の後側部分に取り付けられたループ部（右脚第１面ファスナー構成部）４１ａと、裾領域２０−２−１の前側部分の右端部領域に設けられた着脱部４２ａとを有し、ループ部４１ａは、横長の略長方形状を呈し、面ファスナーにおけるループ片により形成されている。また、着脱部４２ａは、裾領域２０−２−１の前側部分の右端部領域に固定された回動部（第３回動部）４４ａと、回動部４４ａにおけるループ部４１ａ側の面に設けられたフック部（右脚第２面ファスナー構成部）４６ａとを有している。回動部４４ａは、略台形形状の繊維製の生地（具体的には、ナイロン生地）により形成され、一方の辺部側の端部領域（つまり、回動部４４ａの１つの辺部に沿った領域）が、裾領域２０−２−１に縫製により固定位置４４ａ−１に固定されていて、これにより、回動部４４ａは、固定位置４４ａ−１を中心に回動するようになっている。つまり、回動部４４ａは、右脚裾領域に対して、右脚裾領域の周方向に対して略直角な方向の回動軸（つまり、固定位置４４ａ−１）を中心に回動する。なお、固定位置４４ａ−１とループ部４１ａ間には、間隔が設けられている。回動部４４ａに取り付けられたフック部４６ａは、面ファスナーにおけるフック片により形成されている。固定位置４４ａ−１とループ部４１ａは、裾領域２０−２−１における周方向（具体的には、略水平の周方向）に沿って設けられ、固定位置４４ａ−１とループ部４１ａは、裾領域２０−２−１における周方向（具体的には、略水平の周方向）に沿った位置に間隔を介して設けられている。これにより、フック部４６ａがループ部４１ａに接着される位置を調整することにより、裾領域２０−２−１における周方向の長さを調整することができる。
【００４４】
同様に、着脱ユニット（第４着脱ユニット）４０ｂは、左脚部２２の裾領域（左脚裾領域）２２−２−１に設けられ、着脱ユニット４０ｂは、裾領域２２−２−１の後側部分に取り付けられたループ部（左脚第１面ファスナー構成部）４１ｂと、裾領域２２−２−１の前側部分の左端部領域に設けられた着脱部４２ｂとを有し、ループ部４１ｂは、横長の略長方形状を呈し、面ファスナーにおけるループ片により形成されている。また、着脱部４２ｂは、裾領域２２−２−１の前側部分の左端部領域に固定された回動部（第４回動部）４４ｂと、回動部４４ｂにおけるループ部４１ｂ側の面に設けられたフック部（左脚第２面ファスナー構成部）４６ｂとを有している。回動部４４ｂは、略台形形状の繊維製の生地（具体的には、ナイロン生地）により形成され、一方の辺部側の端部領域（つまり、回動部４４ｂの１つの辺部に沿った領域）が、裾領域２２−２−１に縫製により固定位置４４ｂ−１に固定されていて、これにより、回動部４４ｂは、固定位置４４ｂ−１を中心に回動するようになっている。つまり、回動部４４ａは、左脚裾領域に対して、左脚裾領域の周方向に対して略直角な方向の回動軸（つまり、固定位置４４ｂ−１）を中心に回動する。なお、固定位置４４ｂ−１とループ部４１ｂ間には、間隔が設けられている。回動部４４ｂに取り付けられたフック部４６ｂは、面ファスナーにおけるフック片により形成されている。固定位置４４ｂ−１とループ部４１ｂは、裾領域２２−２−１における周方向（具体的には、略水平の周方向）に沿って設けられ、固定位置４４ｂ−１とループ部４１ｂは、裾領域２２−２−１における周方向（具体的には、略水平の周方向）に沿った位置に間隔を介して設けられている。これにより、フック部４６ｂがループ部４１ｂに接着される位置を調整することにより、裾領域２２−２−１における周方向の長さを調整することができる。
【００４５】
従来の水作業用のズボンにおける裾回りの長さの調節は、通常、ボタンにより行われているが、上記のように、着脱ユニット４０ａ、４０ｂを用いることにより、ボタンを用いる必要がなく、ボタンが外れることにより異物混入の原因になるのを防止することができる。
【００４６】
また、右脚部２０と左脚部２２の膝領域には、膝当て部５０ａ、５０ｂが設けられている。つまり、腿回り部２０−１の下端領域と脛回り部２０−２の上端領域とからなる膝領域に、膝当て部５０ａが縫製により取り付けられ、また、腿回り部２２−１の下端領域と脛回り部２２−２の上端領域とからなる膝領域に、膝当て部５０ｂが縫製により取り付けられている。これらの膝当て部５０ａ、５０ｂは、上記ナイロン生地により耐朽性が高い生地（例えば、ナイロンオックス生地）により形成されている。
【００４７】
このように、丈部な生地により形成された膝当て部５０ａ、５０ｂを取り付けることにより、膝領域が破れることにより異物混入の原因となるのを防止することができる。
【００４８】
なお、ズボン１０の丈は、通常の作業用ズボンよりも短く形成されている。つまり、右脚部２０と左脚部２２は、通常の作業用ズボンよりも短く形成されている。これにより、裾領域が地面と擦れて、裾領域が断裂して異物混入の原因となるのを防止することができる。すなわち、従来の水作業用のズボンにおいては、どんな身長の人が着用しても水に濡れることがないように丈を長くするのが通常であるが、そうすると、裾領域が地面と擦れて、裾領域が断裂して異物混入の原因となるおそれがある。なお、通常、作業者は、水作業に際して長靴を装着するので、丈を短くしても水が靴の中に入るという問題はない。
【００４９】
なお、着脱ユニット３０ａ、３０ｂによりウエスト調整を行い、着脱ユニット４０ａ、４０ｂにより裾回りの長さ調整を行なうことにより、水がズボンの内部に浸入するのを防止することができる。
【００５０】
次に、上着（水作業用上着）６０について説明する。上着６０は、水作業用の上着であり、図５〜図８に示すように構成され、胴部７０と、胴部７０の右側の開口から形成された右袖部９０と、胴部７０の左側の開口から形成された左袖部１１０と、胴部７０の上端から連設されたフード部１３０と、帯状着脱部７６ａ、７６ｂとを有している。胴部７０と右袖部９０と左袖部１１０により、上着本体６１が構成される。
【００５１】
上着６０における胴部７０と、右袖部９０と、左袖部１１０と、フード部１３０は、ナイロン生地により形成され、ナイロン生地の内側には、メッシュ生地が設けられている。
【００５２】
ここで、胴部７０は、前開きの構成となっていて、前右部７２ａと、前左部７２ｂと、背面部７２ｃとを有し、背面部７２ｃにおいては、背面部７２ｃの右側の端部が前右部７２ａの右側の端部に沿って縫着され、背面部７２ｃの左側の端部が前左部７２ｂの左端の端部に沿って縫着されている。前右部７２ａと前左部７２ｂ間には、ファスナー７３が設けられ、前右部７２ａの内側には、エレメント７３ａを構成する一方のエレメント構成部７３ａ−１が設けられ、前左部７２ｂには、エレメント７３ａを構成する他方のエレメント構成部７３ａ−２が設けられ、該一対のエレメント構成部によりファスナー７３が形成され、スライダー７３ｂを上方に引き上げることにより、一対のエレメント構成部がかみ合って、ファスナー７３が閉じた状態となる。すなわち、ファスナー７３は、スライドファスナーである。なお、ファスナー７３は、前右部７２ａ及び前左部７２ｂの下端から上端まで設けられているのみならず、フード部１３０の正面下端領域１３１まで形成されている。つまり、フード部１３０の正面下端領域１３１は、ファスナー７３のスライダー７３ｂを上端までスライドさせて、ファスナー７３を閉じた状態で、開口部１４０の下側に位置する領域であり、前右部７２ａの上端から接続された右正面下端領域１３１ａと、前左部７２ｂの上端から接続された左正面下端領域１３１ｂとを有している。
【００５３】
また、胴部７０には、ファスナー７３に沿って帯状着脱部７６ａと帯状着脱部７６ｂが設けられ、帯状着脱部７６ａと帯状着脱部７６ｂによりファスナー７３をカバーすることができるようになっている。なお、帯状着脱部７６ａ、７６ｂは、胴部７０のみならずフード部１３０の正面下端領域１３０ａにまで形成され、帯状着脱部７６ａ、７６ｂの上端領域は、正面下端領域１３０ａに設けられている。
【００５４】
すなわち、帯状着脱部（第１帯状着脱部）７６ａは、エレメント構成部７３ａ−１の近傍にエレメント構成部７３ａ−１に沿って設けられ、前右部７２ａ及び右下端領域１３１ａに縫製により取り付けられた回動部７８ａと、回動部７８ａの表側の面（つまり、
回動部７８ａがファスナー７３に接して回動部７８ａが閉じた状態における回動部７８ａの外側の面）に取り付けられたフック部（胴部第１面ファスナー構成部）８０ａとを有し、回動部７８ａは、縦長帯状（縦長長方形状としてもよい）の繊維製の生地（具体的には、ナイロン生地）により形成され、回動部７８ａの一方の長辺側の端部領域（つまり、回動部７８ａの長辺に沿った領域）が該一方の長辺に沿って前右部７２ａに縫着により固定位置７８ａ−１、７８ａ−２に固定されている。固定位置７８ａ−１と固定位置７８ａ−２は互いに平行である。これにより、回動部７８ａは、固定位置７８ａ−２を中心に略水平方向に回動するようになっている。また、回動部７８ａの他方の長辺側の端部領域は、表側に折り返した状態で縫着されている。これにより、回動部７８ａの先端側の領域（固定位置７８ａ−１とは反対側の領域）の厚みが厚く構成され、ループ部８０ｂをフック部８０ａに接着した状態で、回動部７８ｂと回動部７８ａの間に隙間が形成されず、回動部７８ａの外側に水が進入しても、回動部７８ａの内側に水が浸入しないようになっている。
【００５５】
また、回動部７８ａの表側の面の基端側（固定位置７８ａ−２側）の領域には、回動部７８ａの一方の長辺に沿って縦長帯状のフック部８０ａが取り付けられている。
【００５６】
また、帯状着脱部（第２帯状着脱部）７６ｂは、エレメント構成部７３ａ−２の近傍にエレメント構成部７３ａ−２に沿って設けられ、前左部７２ｂ及び左下端領域１３１ｂに縫製により取り付けられた回動部７８ｂと、回動部７８ｂの裏側の面（帯状着脱部７６ｂが帯状着脱部７６ａに重なった状態における回動部７８ｂの内側の面）に取り付けられたループ部（胴部第２面ファスナー構成部）８０ｂとを有し、回動部７８ｂは、縦長帯状（縦長長方形状としてもよい）の繊維製の生地（具体的には、ナイロン生地）により形成され、回動部７８ｂの一方の長辺側の端部領域（つまり、回動部７８ｂの長辺に沿った領域）が該一方の長辺に沿って前左部７２ｂに縫着により固定位置７８ｂ−１、７８ｂ−２に固定されている。固定位置７８ｂ−１と固定位置７８ｂ−２は互いに平行である。これにより、回動部７８ｂは、固定位置７８ｂ−２を中心に略水平方向に回動するようになっている。回動部７８ａが閉じていて、回動部７８ｂを回動部７８ａ側に回動させた状態では、帯状着脱部７６ｂは、帯状着脱部７６ａに重なった状態となる。
【００５７】
また、回動部７８ｂの裏側の面の先端側（固定位置７８ｂ−１、７８ｂ−２側とは反対側）の領域には、回動部７８ｂの長辺（回動部７８ｂの基端側（固定位置７８ｂ−１、７８ｂ−２側）とは反対側である先端側の長辺）に沿って縦長帯状のループ部８０ｂが取り付けられている。
【００５８】
これにより、帯状着脱部７６ａが閉じた状態で帯状着脱部７６ｂを閉じることにより、ループ部８０ｂがフック部８０ａに接着し、帯状着脱部７６ａ及び帯状着脱部７６ｂによりファスナー７３がカバーされた状態が維持され、水作業において、水がファスナー７３にまで進入するのを防止することができる。
【００５９】
次に、右袖部９０は、筒状を呈し、右袖部９０の先端には袖口部９２が設けられ、袖口部９２の内部には、伸縮部材９２ａが設けられている。すなわち、袖口部９２において、ループ部１０１（後述）が設けられていない領域の内部に伸縮部材９２ａが設けられている。
【００６０】
また、袖口部９２には、袖口の周方向の長さを調整するための着脱ユニット１００が設けられている。すなわち、着脱ユニット（第５着脱ユニット）１００は、袖口部９２の外側の面に取り付けられたループ部（右袖第１面ファスナー構成部）１０１と、袖口部９２に取り付けられた着脱部（第５着脱部）１０２とを有し、ループ部１０１は、細長の略長方形状を呈し、面ファスナーにおけるループ片により形成され、袖口部９２の周方向に沿って縫製により取り付けられている。また、着脱部１０２は、袖口部９２の外側の面に固定された回動部（第５回動部）１０４と、回動部１０４におけるループ部１０１側の面に設けられたフック部（右袖第２面ファスナー構成部）１０６とを有している。回動部１０４は、略長方形状の繊維製の生地（具体的には、ナイロン生地）により形成され、一方の短辺側の端部領域（つまり、回動部１０４の１つの辺部に沿った領域）が、袖口部９２に縫製により固定位置１０４−１に固定されていて、これにより、回動部１０４は、固定位置１０４−１を中心に回動するようになっている。つまり、回動部１０４は、袖口部９２に対して、袖口部９２のの周方向に対して略直角な方向の回動軸（つまり、固定位置１０４−１）を中心に回動する。なお、固定位置１０４−１とループ部１０１間には、間隔が設けられている。回動部１０４に取り付けられたフック部１０６は、面ファスナーにおけるフック片により形成されている。固定位置１０４−１とループ部１０１は、袖口部９２における周方向に沿って設けられ、固定位置１０４−１とループ部１０１は、袖口部９２における周方向に沿った位置に間隔を介して設けられている。これにより、フック部１０６がループ部１０１に接着される位置を調整することにより、袖口の周方向の長さを調整することができる。なお、回動部１０４は固定位置１０４−１の位置で固定されているとしたが、固定位置１０４−１よりも基端側の領域全体が固定位置となって袖口部９２に固定された構成としてもよい。この場合でも、固定位置１０４−１が回動軸となる。
【００６１】
また、左袖部１１０は、筒状を呈し、左袖部１１０の先端には袖口部１１２が設けられ、袖口部１１２の内部には、伸縮部材９２ａが設けられている。すなわち、袖口部１１２において、ループ部１２１（後述）が設けられていない領域の内部に伸縮部材１１２ａが設けられている。
【００６２】
また、袖口部１１２には、袖口の周方向の長さを調整するための着脱ユニット１２０が設けられている。すなわち、着脱ユニット（第６着脱ユニット）１２０は、袖口部１１２の外側の面に取り付けられたループ部（左袖第１面ファスナー構成部）１２１と、袖口部１１２に取り付けられた着脱部（第６着脱部）１２２とを有し、ループ部１２１は、細長の略長方形状を呈し、面ファスナーにおけるループ片により形成され、袖口部１１２の周方向に沿って縫製により取り付けられている。また、着脱部１２２は、袖口部１１２の外側の面に固定された回動部（第６回動部）１２４と、回動部１２４におけるループ部１２１側の面に設けられたフック部（左袖第２面ファスナー構成部）１２６とを有している。回動部１２４は、略長方形状の繊維製の生地（具体的には、ナイロン生地）により形成され、一方の短辺側の端部領域（つまり、回動部１２４の１つの辺部に沿った領域）が、袖口部１１２に縫製により固定位置１２４−１に固定されていて、これにより、回動部１２４は、固定位置１２４−１を中心に回動するようになっている。つまり、回動部１３４は、袖口部１１２に対して、袖口部１１２のの周方向に対して略直角な方向の回動軸（つまり、固定位置１２４−１）を中心に回動する。なお、固定位置１２４−１とループ部１２１間には、間隔が設けられている。回動部１２４に取り付けられたフック部１２６は、面ファスナーにおけるフック片により形成されている。固定位置１２４−１とループ部１２１は、袖口部１１２における周方向に沿って設けられ、固定位置１２４−１とループ部１２１は、袖口部１１２における周方向に沿った位置に間隔を介して設けられている。これにより、フック部１２６がループ部１２１に接着される位置を調整することにより、袖口の周方向の長さを調整することができる。なお、回動部１２４は固定位置１２４−１の位置で固定されているとしたが、固定位置１２４−１よりも基端側の領域全体が固定位置となって袖口部１１２に固定された構成としてもよい。この場合でも、固定位置１２４−１が回動軸となる。
【００６３】
従来の水作業用の上着における袖口の周方向の長さの調節は、通常、ボタンにより行われているが、上記のように、着脱ユニット１００、１２０を用いることにより、ボタンを用いる必要がなく、ボタンが外れることにより異物混入の原因になるのを防止することができる。
【００６４】
また、フード部１３０は、胴部７０と右袖部９０と左袖部１１０から形成され、フード部１３０は、胴部７０（具体的には、前右部７２ａ及び前左部７２ｂ）に接続された正面下端領域１３１と、右正面下端領域１３１ａと右袖部９０から連設された右側面領域１３２と、左正面下端領域１３１ｂと左袖部１１０から連設された左側面領域１３３と、背面部７２ｃから連設された背面領域１３４と、右側面領域１３２と左側面領域１３３から連設された正面上端領域１３５と、右側面領域１３２と左側面領域１３３と背面領域１３４と正面上端領域１３５から連設された上面領域１３６とを有している。正面下端領域１３１は、前右部７２ａの上端から接続された右正面下端領域１３１ａと、前左部７２ｂの上端から接続された左正面下端領域１３１ｂとを有している。フード部１３０は、上着６０を装着する作業者の頭部に装着して使用される。
【００６５】
このフード部１３０は、胴部７０と右袖部９０と左袖部１１０に縫着により接続されていて、上着６０において、フード部１３０が上着６０に一体に形成されている。これにより、フード部１３０が着脱式とはなっておらず、フード部１３０が上着６０から外れることにより異物混入の原因になるのを防止することができる。
【００６６】
フード部１３０の正面側には、正面上端領域１３５と右側面領域１３２と左側面領域１３３に囲まれた切欠部１４１が設けられていて（この切欠部１４１は、フード部１３０を頭部に装着した際に、頭部の顔を露出するためのものである）、ファスナー７３を閉じることにより該切欠部１４１の下端が閉じた状態となって、開口部１４０となる。なお、切欠部１４１の縁部に沿った領域の左右両側には、内部に伸縮部材１４２ａ、１４２ｂが設けられていて、フード部１３０を頭に被った際に、フード部１３０の切欠部１４１の縁部が顔に隙間なく接触させることができる。
【００６７】
従来では、フードの開口部の開き具合を調節するには、紐による締付け式とするのが一般的であったが、伸縮部材１４２ａ、１４２ｂを設けることにより、フードの開き具体を調整するための紐が必要なく、紐が異物混入の原因になるのを防止することができる。
【００６８】
なお、帯状着脱部７６ａ、７６ｂとにより、上着６０の胴部７０の合わせ部分を閉状態とし、着脱ユニット１００、１２０により袖口回りの長さ調整を行ない、フード部１３０に伸縮部材１４２ａ、１４２ｂを設けることにより、水が上着６０の内部に浸入するのを防止することができる。
【００６９】
なお、上記のズボン１０と上着６０を構成する生地は、ナイロン生地の表側の面にコーティングされたコーティング材（具体的には、ＰＶＣ）の厚みを厚くすることにより、従来では、耐水圧１０，０００ｍｍ／ｍ2であったのに対して、耐水圧２０，０００ｍｍ／ｍ2の生地を使用している。
【００７０】
また、上記のズボン１０と上着６０を構成する生地の色は、鮮やかなブルーを採用している。これは、通常日本人が食する食品には、ブルーの色のものはほとんどないため、生地の断片が万が一混入した場合でも、発見しやすいためである。
【００７１】
また、上記の説明においては、着脱ユニット３０ａにおいて、ループ部３１ａとフック部３６ａが設けられ、着脱ユニット３０ｂにおいて、ループ部３１ｂとフック部３６ｂが設けられ、着脱ユニット４０ａにおいて、ループ部４１ａとフック部４６ａが設けられ、着脱ユニット４０ｂにおいて、ループ部４１ｂとフック部４６ｂが設けられ、着脱ユニット１００において、ループ部１０１とフック部１０６が設けられ、着脱ユニット１２０において、ループ部１２１とフック部１２６が設けられているが、各着脱ユニットにおいて、ループ部とフック部を逆にしてもよい。
【００７２】
また、帯状着脱部７６ａにフック部８０ａが設けられ、帯状着脱部７６ｂにループ部８０ｂが設けられているが、帯状着脱部７６ａにループ部を設け、帯状着脱部７６ｂにフック部を設けてもよい。
【符号の説明】
【００７３】
１０  ズボン
１２  腰回り部
１２Ａ  前側領域
１２Ａ−１  前右領域
１２Ａ−２  前左領域
１２Ｂ  後側領域
１２Ｂ−１  後右領域
１２Ｂ−２  後左領域
１２Ｐ  中心
１２Ｑ  中心
１３  中間部
１４  下腹覆い部
１６  尻覆い部
１８  脚部
２０  右脚部
２０−１  腿回り部
２０−２  脛回り部
２２  左脚部
２２−１  腿回り部
２２−２  脛回り部
２０−２−１  裾領域
２２−２−１裾領域
３０ａ  着脱ユニット
３１ａ  ループ部
３２ａ  着脱部
３４ａ  回動部
３４ａ−１  固定位置
３６ａ  フック部
３０ｂ  着脱ユニット
３１ｂ  ループ部
３２ｂ  着脱部
３４ｂ  回動部
３４ｂ−１  固定位置
３６ｂ  フック部
４０ａ  着脱ユニット
４１ａ  ループ部
４２ａ  着脱部
４４ａ  回動部
４４ａ−１  固定位置
４６ａ  フック部
４０ｂ  着脱ユニット
４１ｂ  ループ部
４２ｂ  着脱部
４４ｂ  回動部
４４ｂ−１  固定位置
４６ｂ  フック部
５０ａ  膝当て部
５０ｂ  膝当て部
６０  上着
６１  上着本体
７０  胴部
７２ａ  前右部
７２ｂ  前左部
７２ｃ  背面部
７３  ファスナー
７３ａ  エレメント
７３ａ−１  エレメント構成部
７３ａ−２  エレメント構成部
７３ｂ  スライダー
７６ａ  帯状着脱部
７６ｂ  帯状着脱部
７８ａ  回動部
７８ａ−１  固定位置
７８ａ−２  固定位置
７８ｂ  回動部
７８ｂ−１  固定位置
７８ｂ−２  固定位置
８０ａ  フック部
８０ｂ  ループ部
９０  右袖部
９２  袖口部
９２ａ  伸縮部材
１００  着脱ユニット
１０１  ループ部
１０２  着脱部
１０４  回動部
１０４−１  固定位置
１０６  フック部
１１０  左袖部
１１２  袖口部
１１２ａ  伸縮部材
１２０  着脱ユニット
１２１  ループ部
１２２  着脱部
１２４  回動部
１２４−１  固定位置
１２６  フック部
１３０  フード部
１３１  正面下端領域
１３２  右側面領域
１３３  左側面領域
１３４  背面領域
１３５  正面上端領域
１３６  上面領域
１４０  開口部
１４１  切欠部
１４２ａ  伸縮部材
１４２ｂ  伸縮部材
【図１】
0003227264.tif 000003
【図２】
0003227264.tif 000004
【図３】
0003227264.tif 000005
【図４】
0003227264.tif 000006
【図５】
0003227264.tif 000007
【図６】
0003227264.tif 000008
【図７】
0003227264.tif 000009
【図８】
0003227264.tif 000010